(57)【特許請求の範囲】
【請求項１】
縦長直方体の遊技媒体貸機本体内に、前面側へ取り外し可能に収納された紙幣識別装置と、前記紙幣識別装置への紙幣の挿入によって遊技媒体を所定数送出する遊技媒体送出装置が収納され、
前記紙幣識別装置への電源供給線と信号線はコネクタにて遊技媒体貸機本体内の電装部の電源供給線と制御部の信号線とに接続され、
前記コネクタは、前記電装部の電源供給線と制御部の信号線とに接続した制御部側コネクタと、この制御部側コネクタに着脱可能な紙幣識別装置側コネクタとで構成され、
前記紙幣識別装置が引き出されて前記コネクタが分離した状態で、前記制御部側コネクタに接続する外部設定用機器によって遊技媒体貸機のデータ設定が行われるようになっていることを特徴とする遊技媒体貸機。
【請求項２】
前記紙幣識別装置は前記遊技媒体貸機本体内に前後方向に引き出し収納可能に支持され、
前記制御部側コネクタが前記遊技媒体貸機本体内の奥に配置され、
前記紙幣識別装置側コネクタが前記紙幣識別装置の後部に配置され、
前記両コネクタは前記紙幣識別装置の引き出し収納に伴って脱着可能に構成されたことを特徴とする請求項１に記載の遊技媒体貸機。
【発明の詳細な説明】
【技術分野】
【０００１】
本発明は、貨幣の挿入によって所定数のメダル等の遊技媒体を送出する遊技媒体貸機に関し、特に不正操作による送出遊技媒体数の変更がされ難いようにする技術に関する。
【背景技術】
【０００２】
従来技術として、メダル貸機本体のハウジング内に紙幣識別ユニット、コントロールユニット、メダルタンクユニット、メダル払い出しユニットを収納し、紙幣識別ユニットとコントロールユニットの前面を開閉する上扉、メダルタンクユニットの前面を開閉する中扉、メダル払い出しユニットの前面を開閉する下扉を設けたメダル貸機がある。（例えば、特許文献１参照）。
【特許文献１】特開２００３−０５３０１２号公報
【発明の開示】
【発明が解決しようとする課題】
【０００３】
このようなメダル貸機において、上扉を開いた状態で操作可能にコントロールユニットの前面にメダル払い出し枚数の設定変更スイッチを設け、上扉を開いた状態でこのスイッチを操作して、メダル払い出し枚数の変更設定を行なっている。
【０００４】
しかし、不正行為によって設定スイッチを操作して、メダル払い出し枚数を多くなるように設定状態を変更した状態で、１回のメダル貸し出しを受けるために紙幣を挿入してメダル払い出しユニットが動作したとき、この変更された設定数に基づき払い出されるメダル枚数が、正規の数よりも多数となり、遊技施設としては問題である。
【０００５】
また、１枚のメダル単価を下げて、例えば１０円とすれば、１０００円紙幣の挿入によって払い出されるメダル数は１００枚となる。この状態で、不正行為によってメダル払い出しユニットを作動させてメダル払い出しが行なわれると、この多数のメダルが只取りされ、メダル収納部（ホッパ）のメダルが不足する事態となる。また、不正行為によって設定スイッチを操作して、メダル払い出し枚数を多くなるように設定状態を変更した状態では、これが更に顕著となる。
【０００６】
本発明は、このような点に鑑みて、不正操作による送出メダル数の変更がされ難いようにする技術として、メダル払い出し枚数の設定を特定の外部設定用機器によって行うようにするものである。
【０００７】
本発明において、遊技媒体とは、遊技機で使用されるメダル、パチンコ玉等の総称であり、遊技媒体貸機は所定額の貨幣の挿入によってこれらの遊技媒体を所定数貸し出す機器である。またコイン状部材とは、円形状硬貨、円形状メダル等を含めた総称であり、以下に示す実施例では、遊技媒体をコイン状部材の一つである円形状メダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００８】
第１発明の遊技媒体貸機は、縦長直方体の遊技媒体貸機本体内に、前面側へ取り外し可能に収納された紙幣識別装置と、前記紙幣識別装置への紙幣の挿入によって遊技媒体を所定数送出する遊技媒体送出装置が収納され、前記紙幣識別装置への電源供給線と信号線はコネクタにて遊技媒体貸機本体内の電装部の電源供給線と制御部の信号線とに接続され、前記コネクタは、前記電装部の電源供給線と制御部の信号線とに接続した制御部側コネクタと、この制御部側コネクタに着脱可能な紙幣識別装置側コネクタとで構成され、前記紙幣識別装置が引き出されて前記コネクタが分離した状態で、前記制御部側コネクタに接続する外部設定用機器によって前記遊技媒体貸機のデータ設定が行われるようになっていることを特徴とする。
【０００９】
第２発明の遊技媒体貸機は、第１発明において、  前記紙幣識別装置は前記遊技媒体貸機本体内に前後方向に引き出し収納可能に支持され、前記制御部側コネクタが前記遊技媒体貸機本体内の奥に配置され、前記紙幣識別装置側コネクタが前記紙幣識別装置の後部に配置され、前記両コネクタは前記紙幣識別装置の引き出し収納に伴って脱着可能に構成されたことを特徴とする。
【発明の効果】
【００１０】
従来、メダル貸機にデータ設定用のスイッチを設けたものでは、そのスイッチを不正操作して設定データの変更が行なわれることがあったが、第１発明では、遊技媒体貸機のデータ設定が外部設定用機器によって行なわれるため、このような不正行為ができないようになり、管理上での安全が得られるものとなる。
【００１１】
第２発明は、第１発明の効果に加えて、制御部側コネクタが遊技媒体貸機本体内の奥に配置され、これに着脱する紙幣識別装置側コネクタが紙幣識別装置の後部に配置されることにより、このコネクタ部を不正操作することから防止できる構成となり、更に、この効果を保ちつつ、紙幣識別装置を遊技媒体貸機本体内に前後方向に引き出し収納することによって、両コネクタが脱着されるため、両コネクタの接続と分離操作が簡単になる。
【発明を実施するための最良の形態】
【００１２】
本発明の遊技媒体貸機は、縦長直方体の遊技媒体貸機本体内に、前面側へ取り外し可能に収納された紙幣識別装置と、前記紙幣識別装置への紙幣の挿入によって遊技媒体を所定数送出する遊技媒体送出装置が収納され、前記紙幣識別装置への電源供給線と信号線はコネクタにて遊技媒体貸機本体内の電装部の電源供給線と制御部の信号線とに接続され、前記コネクタは、前記電装部の電源供給線と制御部の信号線とに接続した制御部側コネクタと、この制御部側コネクタに着脱可能な紙幣識別装置側コネクタとで構成され、前記紙幣識別装置が引き出されて前記コネクタが分離した状態で、前記制御部側コネクタに接続する外部設定用機器によって前記遊技媒体貸機のデータ設定が行われるようになっている。本発明の遊技媒体貸機の実施例であるメダル貸機を以下に記載する。
【実施例１】
【００１３】
次に、薄片をその代表的な紙幣で表し、遊技媒体としてのコイン状部材１００を円形状の遊技用メダル１００とした本発明の実施の形態について説明する。図１は本発明に係るメダル貸機の正面図、図２は本発明に係るメダル貸機の前面扉を外した状態の正面図、図３は本発明に係るメダル貸機の内部構成を説明する縦断側面図、図４は本発明に係る紙幣識別装置用収納室の前面矢視図、図５は本発明に係るメダル貸機のデータ設定用の外部設定用機器の説明図、図６は本発明に係るコイン状部材送出装置を備えたメダル貸機と遊技機の併設状態を示す正面図、図７は本発明に係るメダル貸機の前面扉を開いた状態の内部構成の説明斜視図である。
【００１４】
本発明の実施の形態を図に基づき説明する。コイン状部材としては、貨幣であるコインと遊技機専用のメダルがあるが、実施例では、コイン状部材がメダルである場合について説明する。図６において、１は遊技機であり、スロットマシン、スロットルマシン、或いはパチスロ機と称される遊技機を示す。遊技機１では所定のメダル１００が使用されるため、メダル投入口２５に遊技に必要な最低１枚のメダル１００が投入された状態において、スタートレバー１Ａを操作することにより、３個のリール１Ｃが回転する。この状態でタイミングを見て３個のストップボタン１Ｂを押すことにより、対応するリール１Ｃが順次停止し、表面に表示された各リール１Ｃの図柄や数字の組み合わせに応じて入賞メダルが、払い出し口からメダル受け皿１Ｄに払い出される仕組みである。
【００１５】
遊技機１にはコイン状部材の貸機であるメダルの貸機ＭＫが併設される。メダル貸機ＭＫは、前面に開口を形成した縦長直方体のメダル貸機ＭＫの本体２００内に、遊技用メダル１００の供給を受けるために前面の挿入口１１１から挿入された紙幣や有価カード等の薄片の識別機能を有する薄片識別装置１１０（紙幣のみの場合は紙幣識別装置１１０という）と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００１６】
薄片識別装置１１０（実施例では紙幣識別装置１１０）は、挿入口１１１から挿入された薄片（実施例では紙幣）の真偽識別を行なうための識別機能部１１０Ａと、そこで識別された真正薄片（実施例では紙幣）をスタックするスタック部１１０Ｂとからなる。所定の薄片（実施例では紙幣）を薄片識別装置１１０（実施例では紙幣識別装置１１０）に挿入することによって、メダル貸機ＭＫからメダル１００の供給を受けることができるものである。
【００１７】
メダル貸機ＭＫは、縦長直方体のメダル貸機本体２００の前面に開口は、上部から下方へ順に、第１扉（上扉）２０５、第２扉（中扉）２０６、及び第３扉（下扉）２０７で覆われている。各扉はカバーと称しても差し支えない。第１扉２０５は、薄片識別装置１１０と電装部６０を前面へ取り出し可能とするために、それらの前面を覆っている。また第３扉２０７はメダル送出装置２の前面を覆っており、メダル送出装置２から送出されるメダル１００を前面に設けたメダル払い出し部へ導く。このメダル払い出し部は、第３扉２０７の全面に設けたメダル受け皿であってもよいが、実施例では遊技機１のメダル受け皿１Ｄに導くノズル２Ｎで構成している。第３扉２０７の開閉はヒンジ機構でもよいが、実施例では取り外し機構であり、ノズル２Ｎと共に第３扉２０７をメダル貸機本体２００から取り外すことによって、メダル貸機本体２００内の支持部２１６に載置したメダル送出装置２を、後述の貯蔵容器（第１貯蔵部）５Ｐと共に、メダル貸機本体２００から前方へ引き出しによって取り外すことができる。また、第２扉２０６は、後述のように、メダル貸機本体２００の前面のメダル補給用開口を開いて、メダル送出装置２の上部に設けたメダル収容部（ホッパ）５へメダル１００を補給するための補給用前面扉２０６である。
【００１８】
第１扉２０５は、下端部をメダル貸機本体２００に水平軸の軸支持部２０４にて回動可能に支持され、上部にロック用の施錠装置２１２を備えている。第２扉２０６は、下端部をメダル貸機本体２００に軸支持部２０８にて回動可能に支持され、上部にロック用の施錠装置２１３を備えている。第３扉２０７は、第２扉２０６を開いた状態でなければ取り外しできない。即ち、第３扉２０７は、第３扉２０７の下端部２０７Ｄがメダル貸機本体２００の下部に設けた係止フランジ２００Ｆに係止し、第３扉２０７の上端部２０７Ｕが閉じている第２扉２０６の下端部２０６Ｄに近接している。このため、第２扉２０６を閉じた状態では、第３扉２０７を持ち上げても第３扉２０７の上端部２０７Ｕが第２扉２０６の下端部２０６Ｄに当接し、係止フランジ２００Ｆとの係止を外すことができないため、第３扉２０７を取り外すことができない。第２扉２０６を開くことによって、第２扉２０６の下端部２０６Ｄが第３扉２０７の上端部２０７Ｕから離れるため、第３扉２０７を持ち上げれば第３扉２０７の下端部２０７Ｄが係止フランジ２００Ｆの係止から外れ、その状態で第３扉２０７を取り外すことができる。なお、第３扉２０７の上部の着脱構成は特開２０００−２０２１４７号と同様の構成である。
【００１９】
メダル貸機ＭＫは、その内部の上部に薄片の一つである紙幣の真偽を識別する紙幣識別装置１１０が配置され、下部にコイン状部材送出装置であるメダル送出装置２が配置され、そして中間部に電装部６０が配置されている。
【００２０】
上記のように、本発明のメダル貸機は、縦長直方体のメダル貸機本体２００の前面開口を、上部から下方へ順に、第１扉（上扉）２０５、第２扉（中扉）２０６、及び第３扉（下扉）２０７で覆われ、前記第１扉２０５は前記メダル貸機本体２００内に設置した薄片識別装置１１０と電装部６０の前面を覆い、前記第２扉２０６は前記メダル貸機本体２００内に引き出し可能に支持したメダル送出装置２の上部に設けたメダル貯蔵容器５Ｐへメダル１００を補給するためメダル補給用開口を開閉するよう下端部をメダル貸機本体２００に軸支持部２０８にて回動可能に支持され、第３扉２０７は前記メダル送出装置２から送出されるメダル１００を遊技機のメダル受け皿１Ｄに導くノズル２Ｎが取り付けられて前記メダル送出装置２の前面を覆っている。
【００２１】
第１扉（またはカバー）２０５の開閉を検知する扉検知スイッチ２２０が本体２００内に設けられ、第１扉（またはカバー）２０５が開くと扉検知スイッチ２２０が作動し、それによって制御部６１の動作によって警報灯（ＬＥＤ等）２５７が点灯する。また、第２扉（またはカバー）２０６の開閉を検知する扉検知スイッチ２２１が本体２００内に設けられ、第２扉（またはカバー）２０６が開くと扉検知スイッチ２２１が作動し、それによって制御部６１の動作によって警報灯（ＬＥＤ等）２５７が点灯する。また、第３扉（またはカバー）２０７の開閉を検知する扉検知スイッチ２２２が本体２００内に設けられ、第３扉（またはカバー）２０５が開くと扉検知スイッチ２２２が作動し、それによって制御部６１の動作によって警報灯（ＬＥＤ等）２５７が点灯する。
【００２２】
制御部６１の前面側には、制御部６１に電気コネクタ２２３で接続された回路基板６１Ａが、第１扉（またはカバー）２０５の裏面に沿って略垂直に本体２００内に配置され、この回路基板６１は制御部６１の一部を構成している。回路基板６１の前面には、その上部に扉検知スイッチ２２０が取り付けられ、中間部に警報灯２５７が取り付けられ、下部に表示部２１４が取り付けられている。また、回路基板６１の前面の中間部には、左右に離れてメダル貸機ＭＫのファンクションスイッチとして作用する第１スイッチ２２４と第２スイッチ２２５が配置され、回路基板６１の裏面の下部には、リセットスイッチ２２６が配置されている。また、電装部６０の下部には、メダル貸機ＭＫの電源スイッチ２２７が取り付けられている。表示部２１４と警報灯２５７は、第２扉（またはカバー）２０６の透孔部を通してメダル貸機ＭＫの前面から視認できる構成である。
【００２３】
このため、扉検知スイッチ２２０、第１スイッチ２２４、及び第２スイッチ２２５は、第１扉（またはカバー）２０５を開いたとき、本体２００の前面に露出するように配置され、第１扉（またはカバー）２０５を開いた状態で、第１スイッチ２２４と第２スイッチ２２５は、本体２００の前面から操作可能である。また、異常状態のリセット（解除）を行なうリセットスイッチ２２６とメダル貸機ＭＫの電源スイッチ２２７は、上記の配置によって、第１扉（またはカバー）２０５の裏側で且つ下部に配置されているため、第１扉（またはカバー）２０５を開いて操作できない。このため、第１扉（またはカバー）２０５を閉じた状態で、第２扉（またはカバー）２０６を開き、メダル補給用に開放された本体２００の前面開口から手先を差し込んで操作可能であり、リセットスイッチ２２６は差し込んだ指で手前側に向けて操作し、電源スイッチ２２７は指で上方に向けて操作するように配置している。これによって、売り上げ集計とメダル送出枚数等の設定を終わった後の確定操作と、リセットとを区別した操作ができると共に、不用意に電源ＯＦＦがされないようになり、動作の安定化が図れるようになる。
【００２４】
また、扉検知スイッチ２２０には、所定モードへの移行確定、即ち、実施例では売り上げ集計表示モードを終了（解除）してから待機モードへの移行確定、並びに設定したデータの確定をしてから待機モードへの移行する確定機能を持たせている。即ち、第１スイッチ２２４は、１回の瞬時ＯＮ（２秒未満ＯＮ）により制御部６１の動作によって、当日の売り上げ集計が表示部２１４に数字表示され、または、２秒以上ＯＮさせることによって、前日の売り上げ集計が表示部２１４に数字表示されるようにしている。このため、第１スイッチ２２４は、所定のモード選択スイッチである。表示部２１４が２桁の数字表示であれば、売り上げ集計額が例えば４万円の場合は、千円単位で４０と表示される。
【００２５】
そして、この売り上げ集計表示モードを終了（解除）して、メダル貸機ＭＫが顧客の紙幣挿入を待機する待機モードへ移行することを確定するためには、扉検知スイッチ２２０を閉じて扉検知スイッチ２２０が作動されることによって、売り上げ集計表示モードを終了（解除）して待機モードへの移行が確定する。このため、従来のように、第２扉（またはカバー）２０６を開いてリセットスイッチを操作する面倒さがないものとなる。
【００２６】
紙幣挿入口１１１から挿入された紙幣の真偽判別を紙幣識別装置１１０で行い、識別した真正紙幣はスタック部１１０Ｂへ積層収納するが、前記遊技島の裏側に設置した紙幣搬送装置（図示せず）によって、前記遊技装置の島の端部に設けた金庫へ搬送される仕組みでもよい。メダル貸機ＭＫに適用可能な紙幣は、例えば、１０００円以外に、２０００円、５０００円、１００００円の紙幣の一つ又は複数とすることもできる。実施例では、紙幣挿入口１１１への１０００円紙幣の挿入によって５０枚のメダル１００が送出される（払い出される）ように設定されている。
【００２７】
コイン状部材であるメダル１００の送出装置であるメダル送出装置２は以下の構成をなす。即ち、合成樹脂製のベース部材４上には、円形状のコイン状部材であるメダル１００を収納する収容部（またはホッパと称する）５を形成し、収容部（ホッパ）５内のメダル１００を１枚ずつ送出する送出ロータ７を備えている。送出ロータ７は、収容部（ホッパ）５の下部においてベース部材４上に略水平状態に配置され、複数の分離孔１０を形成した合成樹脂製であり、ベース部材４の後側に配置した電動機装置８からベース部材４内に配置した複数歯車を含む伝動機構８Ａを介して、ベース部材４の上壁を貫通して延びる回転軸９の先端部に、送出ロータ７が取り付けられている。
【００２８】
メダル１００の収容部（ホッパ）５は、単一の形態のメダル収容部（ホッパ）であってもよいが、メダル送出装置２をメダル貸機ＭＫの前面側へ引き出し可能にするために、上下に分割可能な第１貯蔵部と第２貯蔵部とで構成している。即ち、メダル１００の収容部（ホッパ）５は、第１貯蔵部を形成する貯蔵容器５Ｐと、貯蔵容器（第１貯蔵部）５Ｐ上に連続して形成された第２貯蔵部５Ｐ２とで構成し、貯蔵容器５Ｐと共にメダル送出装置２をメダル貸機ＭＫの前面側へ引き出しできる。
【００２９】
貯蔵容器５Ｐは、ベース部材４に着脱可能に取り付けられており、その後壁５Ｇ、左壁５Ｈ及び右壁５Ｍの上端が、縦長直方体のメダル貸機ＭＫの本体２００の左右側壁２０１、２０２と後壁２０３に当接状態で沿った大きさの矩形状に形成され、下面開口５Ｂは送出ロータ７の外周に沿う円形状をなし、上側開口が略矩形状をなすように後述の送出通路部１３側の壁とその対面側の壁が前記円形状から外方へ広がり、残りの対面する２つの壁が前記送出ロータの周縁部から略垂直に延びており、下側が円形状であって上側が矩形状をなす容器形状である。この下面開口５Ｂに対応して送出ロータ７が配置される。
【００３０】
貯蔵容器（第１貯蔵部）５Ｐの矩形状の上側開口５Ａに連通して、貯蔵容器（第１貯蔵部）５Ｐ上に第２貯蔵部５Ｐ２が連続して形成されている。第２貯蔵部５Ｐ２は、前面に開口を形成した縦長直方体のメダル貸機ＭＫの本体２００の左右側壁２０１、２０２と後壁２０３とで形成した空間によって形成されており、これによって、第２貯蔵部５Ｐ２は前面に補給用開口を形成している。施錠装置２１３をキーによって外した状態で、この補給用開口を開閉する補給用前面扉２０６を開くことにより、この第２貯蔵部５Ｐ２へメダル１００を手動によって補給できる。補給用前面扉２０６は、上部が前方へ回動して開くように、下端部が水平軸の軸支持部２０８によって支持されている。第２貯蔵部５Ｐ２の前面の補給用開口の底部には、補給案内底板２０９が第２貯蔵部５Ｐ２の左右側壁２０１、２０２に亘って取り付けられている。また、補給用前面扉２０６の左右部分には、第２貯蔵部５Ｐ２の左右側壁２０１、２０２沿って延びた補給案内左右板２１０、２１１が取り付けられている。補給用前面扉２０６は、前方へ回動して略９０度の範囲で開くことができるように制限機構が設けられている。
【００３１】
メダル送出装置２のベース部材４は、メダル貸機ＭＫの本体２００の左右側壁２０１、２０２に取り付けた支持部２１６に載置され、これによって、メダル送出装置２は、第１貯蔵部を形成する貯蔵容器５Ｐと共に、メダル貸機ＭＫの本体２００から前後方向に引き出し可能である。メダル送出装置２は、メダル貸機ＭＫの本体２００内の所定位置に保持されるが、この所定位置は、保持装置（図示せず）によって保持される。
【００３２】
この構成において、メダル１００を管理者が手動補給する場合、補給用前面扉２０６を前方へ回動して略９０度の範囲で開く。この状態で、第２貯蔵部５Ｐ２の補給用開口の左右部分には、補給案内左右板２１０、２１１が露出して、補給されるメダル１００が左右両側から零れないように作用し、また、第２貯蔵部５Ｐ２の補給用開口の底部に存在する補給案内底板２０９によって、補給されるメダル１００が第２貯蔵部５Ｐ２及びその下方の貯蔵容器（第１貯蔵部）５Ｐへ導入される。
【００３３】
貯蔵容器（ホッパ）５Ｐ内に収容されるコイン状部材１００であるメダル１００の荷重が、送出ロータ７に掛かることを減衰するために、貯蔵容器（第１貯蔵部）５Ｐの前壁５Ｆから送出ロータ７の中央部上方位置へ向けて低く傾斜した減圧板３７を設けている。この補給されるメダル１００は、貯蔵容器（第１貯蔵部）５Ｐの後壁５Ｇへ直接落下し、その傾斜に沿って送出ロータ７へ向けて移動するものと、減圧板３７に衝突して、減圧板３７の傾斜に沿って移動するものがある。このようにして、貯蔵容器（第１貯蔵部）５Ｐ及び第２貯蔵部５Ｐ２内にメダル１００が収容される。
【００３４】
貯蔵容器（第１貯蔵部）５Ｐの前壁５Ｆのコーナ部には、先端４６Ｐが回転する送出ロータ７の分離孔１０に上方から近接するように延びたコイルバネで構成したメダル残留防止部材４６が設けられている。このメダル残留防止部材４６は、送出ロータ７の回転に伴って、メダル１００が抵抗を受け、横に倒れた水平状態のメダル１００が１枚ずつメダル分離孔１０に入るように作用するものである。
【００３５】
電装部６０は、紙幣識別装置１１０とメダル送出装置２等に電気的に接続されている。このため電装部６０は、紙幣挿入口１１１から挿入され紙幣識別装置１１０にて識別された真正紙幣の金額データの読み込み制御や、この金額データをメダル貸機ＭＫの前面板等に設けた表示部に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面側に設けたＬＥＤ等で構成の表示部２１４に表示させる制御や、貯蔵容器（ホッパ）５Ｐの収納メダルの不足状態を検知する残量検知部ＥＳで検知し表示部２１４等で報知する制御や、残量検知部ＥＳが最低残量を検知したとき、それ以降何回まで正規のメダル払い出しを行うかの制御や、不正操作によるメダルの只取り防止のための不正検出装置の制御や、不正検出時に表示部２１４にエラーコードを表示し警報灯２５７を点灯する制御等を行う制御部６１を含む。
【００３６】
紙幣識別装置１１０は、挿入口１１１から挿入された紙幣の真偽識別を行なうための識別機能部１１０Ａと、そこで識別された真正紙幣をスタックするスタック部１１０Ｂとからなる。紙幣識別装置１１０は、メダル貸機本体２００内に形成された収納室ＢＭ内に収納され、後述の第１扉（上扉）２０５を開いた状態で、前面側へ取り外し可能である。実施例では、紙幣識別装置１１０は、識別機能部１１０Ａとスタック部１１０Ｂが一体化されたユニット構成であり、収納室ＢＭ内の底壁１１３に載置された状態で収納され、第１扉（上扉）２０５を閉じた状態で、または位置決め装置（図示せず）によって、所定位置に保持される。なお、上記のように、紙幣搬送装置（図示せず）によって、遊技装置の島の端部に設けた金庫へ搬送される仕組みの場合はスタック部１１０Ｂが存在しないため、紙幣識別装置１１０は、識別機能部１１０Ａのみとなる。
【００３７】
紙幣識別装置１１０をメダル貸機本体２００内の収納室ＢＭに収納・引き出し可能に支持する構成として、図示の構成では、収納室ＢＭの底壁１１３に載置された状態で収納され、後述の第１扉（上扉）２０５を開いた状態で、この底壁１１３の上面をスライドして収納・引き出しが行なわれる。なお、メダル貸機本体２００の左右壁２０１、２０２に設けた左右レール部に収納・引き出し可能に支持する構成であってもよい。
【００３８】
紙幣識別装置１１０への電源供給線と信号線は、薄片識別装置１１０の挿入と引き出しに伴って着脱されるコネクタ１１２にて、それぞれ対応する電装部６０の電源供給線と制御部６１の信号線とにシード線１１２Ｃによって接続される。コネクタ１１２は、メダル貸機本体２００側の電装部６０の電源供給線と制御部６１の信号線とに接続した制御部側コネクタ１１２Ａと、このコネクタ１１２Ａに着脱可能な紙幣識別装置側コネクタ１１２Ｂとで構成している。
【００３９】
制御部側コネクタ１１２Ａは、メダル貸機本体２００内の奥に配置されるようにするために、収納室ＢＭの後壁を構成するメダル貸機本体２００の後壁２０３に端子部を前面に向けた状態で、収納室ＢＭの後壁下部に位置する状態で固定されている。また、紙幣識別装置側コネクタ１１２Ｂは紙幣識別装置１１０の後部に配置され、両コネクタ１１２Ａと１１２Ｂは、紙幣識別装置１１０の引き出し収納に伴って脱着可能となるようにするために、紙幣識別装置側コネクタ１１２Ｂは、端子部を後方に向ける状態で紙幣識別装置１１０の後壁に取り付けられている。
【００４０】
制御部側コネクタ１１２Ａと紙幣識別装置側コネクタ１１２Ｂは、対向位置にあって、収納室ＢＭへの紙幣識別装置１１０の収納に伴って、制御部側コネクタ１１２Ａと紙幣識別装置側コネクタ１１２Ｂの端子部は電気的接合される。また、収納室ＢＭからの紙幣識別装置１１０の引き出しに伴って、制御部側コネクタ１１２Ａと紙幣識別装置側コネクタ１１２Ｂの端子部の電気的接合が解除されるように離れる。
【００４１】
メダル貸機ＭＫには種々のデータ設定が必要である。本発明では、このデータ設定は外部設定用機器３００によって行なうようにしている。例えば、このデータ設定の１つである送出（払い出し）メダル数の設定について説明する。紙幣挿入口１１１から挿入され紙幣識別装置１１０にて識別された真正紙幣の金額が所定金額であることによって、１回のメダル貸し出しにおける所定枚数のメダルが、メダル送出装置２から送出（払い出し）される。管理者はこの送出（払い出し）されるメダル数を任意の数に設定することができるようになっている。
【００４２】
この送出（払い出し）メダル数の設定を行なうためには、第１扉２０５を開いて紙幣識別装置１００を引き出し、コネクタ１１２Ａと１１２Ｂが分離した状態で、制御部側コネクタ１１２Ａに外部設定用機器３００のコネクタ３０１を接続する。コネクタ３０１は、電源供給線と信号線を備えており、この接続によって、電装部６０の電源供給線と制御部６１の信号線とに接続される。
【００４３】
外部設定用機器３００は内部に制御部３０２を備え、その一部に制御部３０２の基板用電源生成のためのＤＣ−ＤＣコンバータ３０３を備えている。また、外部設定用機器３００は前面に、送出（払い出し）メダル数の設定用の第１スイッチ３０４と第２スイッチ３０５と、７セグメントの１桁部と１０桁部を表示する２桁の表示部３０６と、１００桁表示用のＬＥＤ表示部３０７と、第１スイッチ３０４と第２スイッチ３０５によって設定した数値を確定するための確定スイッチ３０８を備えている。
【００４４】
制御部側コネクタ１１２Ａに外部設定用機器３００のコネクタ３０１を接続した状態において、設定事項（設定データ）を変更できる。１回のメダル貸し出しごとの送出（払い出し）メダル数を変更、または新たに設定するためには、先ず、第１スイッチ３０４と第２スイッチ３０５を同時に所定時間（実施例では３秒以上）押す（実施例ではＯＮ）ことによって、設定モードになる。即ち、今まで送出（払い出し）メダル数が例えば５０枚に設定されていたものを例えば１００枚に変更したい場合は、第１スイッチ３０４と第２スイッチ３０５を同時に所定時間（実施例では３秒以上）押す（実施例ではＯＮ）ことによって、制御部６１の動作によって設定モードになる。このとき、表示部３０６には５０が表示されるか、０が表示されるか、あるいは他の数字が表示されるかは、予め定めた制御部６１のプログラムによって決まる。
【００４５】
このようにして設定モードになった段階で、表示部３０６を見つつ第２スイッチ３０５を順次押すことにより、表示部２１４の数字が順次変わる。表示部３０６は９９までの数字しか表示できないが、１００桁に達すると１００桁表示用のＬＥＤ表示部３０７が点灯する。このため、送出（払い出し）メダル数を１００枚にしたいときは、表示部３０６が「９９」を表示したとき＋１すれば、表示部３０６の表示が「００」になると共に１００桁表示用のＬＥＤ表示部３０７が点灯するため、表示部３０６とＬＥＤ表示部３０７によって、送出（払い出し）メダル数が「１００枚」に変更されたことが読み取れる。このようにして、「１９９枚」までの設定が可能となる。
【００４６】
この段階では、まだ１００枚が確定されていないが、確定スイッチ３０８を押す（実施例ではＯＮ）ことによって、その信号が制御部６１へ入力され、制御部６１の動作によってこの数字の確定がなされると共に、メダル貸機ＭＫが顧客の紙幣挿入を待機する待機モードへ移行することが確定する。この段階で、制御部側コネクタ１１２Ａからコネクタ３０１を外し、再び紙幣識別装置１００を収納室ＢＭへ収納して、コネクタ１１２Ａと１１２Ｂが接続された状態とする。これによって、メダル貸機ＭＫは、顧客の紙幣挿入にる１００枚のメダルの払い出しを待機する状態となる。
【００４７】
なお、設定モードになった段階で、送出（払い出し）メダル数の設定変更は、１桁目は第２スイッチ３０５で変更設定し、１０桁目は第１スイッチ３０４で変更設定するようにしてもよい。
【００４８】
上記では、送出（払い出し）メダル数の設定を外部設定用機器３００のみで行なう場合に付いて説明したが、５０枚以下（例えば４０枚〜５０枚まで）の設定変更は、メダル貸機ＭＫの前面に設けた第１スイッチ２２４と第２スイッチ２２５の操作によって行なうようにし、５１枚以上（５１枚〜１９９枚）は外部設定用機器３００の第１スイッチ３０４と第２スイッチ３０５の操作によって行なうようにすることができる。
【００４９】
この場合、第１スイッチ２２４と第２スイッチ２２５で設定変更する場合は、先ず、第１スイッチ２２４と第２スイッチ２２５を同時に所定時間（実施例では３秒以上）押す（実施例ではＯＮ）ことによって、設定モードになる。即ち、今まで送出（払い出し）メダル数が例えば５０枚に設定されていたものを例えば４５枚に変更したい場合は、第１スイッチ２２４と第２スイッチ２２５を同時に所定時間（実施例では３秒）押す（実施例ではＯＮ）ことによって、制御部６１の動作によって設定モードになる。このとき、表示部２１４には５０が表示されるか、０が表示されるか、あるいは他の数字が表示されるかは、予め定めた制御部６１のプログラムによって決まる。
【００５０】
このようにして設定モードになった段階で、表示部２１４を見つつ第２スイッチ２２５を順次押すことにより、表示部２１４の数字が順次変わり、設定したい数字（上記の４５枚）になったとき、第２スイッチ２２５を押すことを止める。この段階では、まだ４５枚が確定されていないが、上扉２０５を閉じることにより扉検知スイッチ２２０が作動される（実施例ではＯＮ）ため、その信号が制御部６１へ入力され、制御部６１の動作によってこの数字の確定がなされると共に、メダル貸機ＭＫが顧客の紙幣挿入を待機する待機モードへ移行することが確定する。このように、第２スイッチ２２５によって送出（払い出し）メダル数の設定を行うため、第２スイッチ２２５を送出（払い出し）メダル数の設定スイッチと称することができる。
【００５１】
また、もう一つの設定事項（設定データ）を変更できるようになっている。例えば、メダル貸機ＭＫの収容部（ホッパ）５へのメダルの補給が、第２扉（またはカバー）２０６を開いて行なう手動補給タイプか、または、収容部（ホッパ）５内のメダル収納レベルが所定値まで低下したことをセンサで検知して、自動補給装置（図示せず）によって自動補給する自動補給タイプかの設定ができる。この場合も上記同様に、先ず第１スイッチ２２４と第２スイッチ２２５を同時に所定時間（実施例では３秒）押して（実施例ではＯＮして）設定モードとする。この状態で、第１スイッチ２２４と第２スイッチ２２５の両方の操作によって、または一方の操作によって、自動補給モードの設定コードか手動補給モードの設定コードになるように、表示部２１４に表示される数字及びまたは英文字を見つつ、所定の設定コードを選択する。この段階では、まだこの設定コードが確定されていないが、上扉２０５を閉じることにより扉検知スイッチ２２０が作動される（実施例ではＯＮ）ため、その信号が制御部６１へ入力され、制御部６１の動作によってこの設定コードの確定がなされると共に、メダル貸機ＭＫが顧客の紙幣挿入を待機する待機モードへ移行することが確定する。
【００５２】
上記では、表示部３０６の表示が「００」になると共に１００桁表示用のＬＥＤ表示部３０７が点灯し、表示部３０６とＬＥＤ表示部３０７によって、送出（払い出し）メダル数が「１９９枚」までの表示ができるが、更に多くの数字の表示ができるようにするためには、表示部３０６の左右２個の表示を利用して、左側で１０桁目を表示し右側で１桁目を表示する状態と、左側で千桁目を表示し右側で百桁目を表示する状態を短時間（例えば１秒または０．５秒）ごとに交互に切り替え表示するようにすれば、目に残像として残る合計表示が「９９９９」まで表示可能となる。このようにすれば、１００桁表示用のＬＥＤ表示部３０７が不要であって、大きな数字の表示が２桁表示器で容易に表示できるようになる。
【００５３】
また、第１スイッチ２２４と第２スイッチ２２５で行なう設定事項（設定データ）の変更操作順序は、上記に限定されず、他の方法でもよく、更に、第１スイッチ２２４と第２スイッチ２２５以外にスイッチを設けて、そのスイッチを使って設定事項（設定データ）の変更を行なうようにしてもよい。
【産業上の利用可能性】
【００５４】
本発明は、上記実施形態に限定されず、本発明の技術的範囲を逸脱しない限り種々の変更が考えられ、遊技媒体貸機としてメダルの貸機に限らず、パチンコ玉の貸機であっても同様であるため、種々の実施形態を包含するものである。
【図面の簡単な説明】
【００５５】
【図１】本発明に係るコイン状部材（メダル）貸機の正面図である。（実施例１）
【図２】本発明に係るメダル貸機の前面扉を外した状態の正面図である。（実施例１）
【図３】本発明に係るメダル貸機の内部構成を説明する縦断側面図である。（実施例１）
【図４】本発明に係る紙幣識別装置用収納室の前面矢視図である。（実施例１）
【図５】本発明に係るメダル貸機のデータ設定用の外部設定用機器の説明図である。（実施例１）
【図６】本発明に係るコイン状部材送出装置を備えたメダル貸機と遊技機の併設状態を示す正面図である。（実施例１）
【図７】本発明に係るメダル貸機の前面扉を開いた状態の内部構成の説明斜視図である。（実施例１）
【符号の説明】
【００５６】
１・・・・遊技機
２・・・・コイン状部材送出装置
４・・・・ベース部材
５・・・・コイン状部材の収容部（ホッパ）
５Ａ・・・上側開口
５Ｂ・・・下側開口
５Ｆ・・・貯蔵容器（ホッパ）の前壁
５Ｇ・・・貯蔵容器（ホッパ）の後壁
５Ｈ・・・貯蔵容器（ホッパ）の左壁
５Ｍ・・・貯蔵容器（ホッパ）の右壁
５Ｐ・・・貯蔵容器（第１貯蔵部）
５Ｐ２・・第２貯蔵部
７・・・・送出ロータ
８・・・・電動機装置
９・・・・回転軸
６０・・・電装部
６１・・・制御部
１００・・コイン状部材
１１１・・挿入口
１１２・・コネクタ
１１２Ａ・・制御部側コネクタ
１１２Ｂ・・紙幣識別装置側コネクタ
２００・・メダル貸機ＭＫの本体
２０１・・本体２００の左側壁
２０２・・本体２００の右側壁
２０３・・本体２００の後壁
２０４・・軸支持部
２０５・・第１扉
２０６・・第２扉（補給用前面扉）
２０７・・第３扉
２０８・・軸支持部
２０９・・補給案内底板
２１０・・補給案内左板
２１１・・補給案内右板
２１２・・施錠装置
２１３・・施錠装置
２１４・・数字表示部
２２０・・第１扉開閉検知スイッチ
２２１・・第２扉開閉検知スイッチ
２２２・・第３扉開閉検知スイッチ
２２３・・電気コネクタ
２２４・・第１スイッチ
２２５・・第２スイッチ
２２６・・リセットスイッチ
２２７・・電源スイッチ
２５７・・警報灯
３００・・外部設定用機器
３０１・・コネクタ
３０２・・制御部
３０３・・ＤＣ−ＤＣコンバータ
３０４・・第１スイッチ
３０５・・第２スイッチ
３０６・・表示部
３０７・・１００桁表示用のＬＥＤ表示部
３０８・・確定スイッチ
ＭＫ・・・メダル貸機
【図１】
0004768694.tif 000002
【図２】
0004768694.tif 000003
【図３】
0004768694.tif 000004
【図４】
0004768694.tif 000005
【図５】
0004768694.tif 000006
【図６】
0004768694.tif 000007
【図７】
0004768694.tif 000008